(57)【要約】      （修正有）【課題】ファントムセル内で複数の移動局ＵＥに対して同一のＣ-ＲＮＴＩを割り当てた場合であっても、同一のＣ-ＲＮＴＩが割り当てられた移動局ＵＥ同士の衝突を回避する。【解決手段】無線基地局は、ファントムセル内で、複数の移動局ＵＥ＃Ａ〜ＵＥ＃Ｅに対して、同一のＣ-ＲＮＴＩｐｈを割り当てるように構成されている割当部と、複数の移動局ＵＥ＃Ａ〜ＵＥ＃Ｅの各々に対して、異なる無線リソースの位置を通知するように構成されている送信部とを具備しており、送信部は、複数の移動局ＵＥ＃Ａ〜ＵＥ＃Ｅの各々に対して、通知した無線リソースの位置で、同一のＣ-ＲＮＴＩｐｈを用いたＰＤＣＣＨを介して制御信号を送信するように構成されている。【選択図】図３
2014049793.tif 000002
【特許請求の範囲】
【請求項１】
複数のスモールセルを連結して形成されたファントムセルを管理するように構成されている無線基地局であって、
前記ファントムセル内で、複数の移動局に対して、同一のセル固有識別子を割り当てるように構成されている割当部と、
前記複数の移動局の各々に対して、異なる無線リソースの位置を通知するように構成されている送信部とを具備しており、
前記送信部は、前記複数の移動局の各々に対して、通知した前記無線リソースの位置で、前記同一のセル固有識別子を用いた物理下りリンク制御チャネルを介して制御信号を送信するように構成されていることを特徴とする無線基地局。
【請求項２】
前記送信部は、前記無線リソースの位置として、周波数方向の位置を通知するように構成されていることを特徴とする請求項１に記載の無線基地局。
【請求項３】
前記送信部は、前記無線リソースの位置として、時間方向の位置を通知するように構成されていることを特徴とする請求項１に記載の無線基地局。
【請求項４】
複数のスモールセルを連結して形成されたファントムセルを管理するように構成されている無線基地局と通信可能な移動局であって、
前記無線基地局から、無線リソースの位置を示す情報及び前記移動局に対して割り当てられたセル固有識別子を受信するように構成されている受信部を具備しており、
前記受信部は、前記無線基地局から、前記無線リソースの位置で、前記セル固有識別子を用いた物理下りリンク制御チャネルを介して制御信号を受信するように構成されていることを特徴とする移動局。
【請求項５】
前記受信部は、前記無線リソースの位置を示す情報として、周波数方向の位置を示す情報を受信するように構成されていることを特徴とする請求項４に記載の移動局。
【請求項６】
前記受信部は、前記無線リソースの位置を示す情報として、時間方向の位置を示す情報を受信するように構成されていることを特徴とする請求項４に記載の移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）方式において、図５に示すように、無線基地局ｅＮＢは、配下のセルにおいて通信を行う移動局ＵＥに対して、Ｃ-ＲＮＴＩ（Ｃｅｌｌ-  Ｒａｄｉｏ  Ｎｅｔｏｗｏｒｋ  Ｔｅｍｐｏｒａｒｙ  Ｉｄｅｎｔｉｔｙ）を割り当てて、データの送受信を行うように構成されている（特許文献１参照）。
【０００３】
Ｃ-ＲＮＴＩは、セルごとに割り当てられるように構成されており、ＬＴＥ方式では、図５に示すように、同一のセル＃Ａにおいて通信を行う移動局ＵＥ＃１及び移動局ＵＥ＃２に対して、同一のＣ-ＲＮＴＩを割り当てることができず、異なるセル＃Ａ/＃Ｂにおいて通信を行う移動局ＵＥ＃１（又は、移動局ＵＥ＃２）及び移動局ＵＥ＃３に対して、同一のＣ-ＲＮＴＩを割り当てることができる。
【０００４】
なお、Ｃ-ＲＮＴＩは、「Ｃｏｎｔｅｎｔｉｏｎ  ｂａｓｅｄ  ＲＡ（Ｒａｎｄｏｍ  Ａｃｃｅｓｓ）手順」やハンドオーバ手順において割り当てられるように構成されている。
【０００５】
また、無線基地局ｅＮＢは、移動局ＵＥに割り当てられたＣ-ＲＮＴＩを用いて、下りリンクデータの送信や上りリンクデータの送信用リソースの割り当てを行うように構成されている。
【０００６】
また、３ＧＰＰの「Ｒｅｌ-１２ワークショップ」において、ＦＲＡ（Ｆｕｔｕｒｅ  Ｒａｄｉｏ  Ａｃｃｅｓｓ）のトピックとして、「Ｓｍａｌｌ  ｃｅｌｌ  ｅｎｈａｎｃｅｍｅｎｔ」に関する提案が多く寄せられた。
【０００７】
かかる提案の中で、「ファントムセル（Ｐｈａｎｔｏｍ  ｃｅｌｌ）」に係るコンセプトが検討されている。
【０００８】
図６に示すように、従来のマクロセル（Ｍａｃｒｏ  ｃｅｌｌ）とは異なり、ファントムセルは、多数の「スモールセル（Ｓｍａｌｌ  ｃｅｌｌ）」を連結することで、１つの大きなセルを形成し、広いエリアをカバーすることができる。
【先行技術文献】
【非特許文献】
【０００９】
【非特許文献１】３ＧＰＰ  ＴＳ３６.３００
【発明の概要】
【発明が解決しようとする課題】
【００１０】
しかしながら、図７に示すように、各セル（マクロセル及びファントムセル）では、６５５３５個のＣ-ＲＮＴＩを管理しており、各移動局ＵＥに対して１個のＣ-ＲＮＴＩを割り当てる必要がある。
【００１１】
ここで、ファントムセルのカバレッジエリアが広くなると、ファントムセル内で通信を行う移動局ＵＥの数が増えるため、ファントムセル内で移動局ＵＥに割り当てるＣ-ＲＮＴＩが枯渇するケースが生じ得るという問題点が想定される。
【００１２】
かかる問題点を解決するために、図８に示すように、マクロセルでは、各移動局ＵＥに対して、１個のＣ-ＲＮＴＩを割り当てる一方、ファントムセルでは、複数の移動局ＵＥに対して、１個のＣ-ＲＮＴＩを割り当てる（すなわち、１個のＣ-ＲＮＴＩを複数の移動局ＵＥで共有する）という運用が行われることが想定される。
【００１３】
しかしながら、かかる運用を行った場合、同じセル内で同一のＣ-ＲＮＴＩが割り当てられた移動局ＵＥ同士の衝突が発生する可能性があるという問題点があった。ここで、かかる衝突が発生すると、無線基地局ｅＮＢによって意図されていない移動局ＵＥが、正しい移動局ＵＥに対する割り当て情報を誤って受信してしまう可能性がある。
【００１４】
そこで、本発明は、上述の課題に鑑みてなされたものであり、ファントムセル内で複数の移動局に対して同一のＣ-ＲＮＴＩを割り当てた場合であっても、同一のＣ-ＲＮＴＩが割り当てられた移動局同士の衝突を回避することができる無線基地局及び移動局を提供することを目的とする。
【課題を解決するための手段】
【００１５】
本発明の第１の特徴は、複数のスモールセルを連結して形成されたファントムセルを管理するように構成されている無線基地局であって、前記ファントムセル内で、複数の移動局に対して、同一のセル固有識別子を割り当てるように構成されている割当部と、前記複数の移動局の各々に対して、異なる無線リソースの位置を通知するように構成されている送信部とを具備しており、前記送信部は、前記複数の移動局の各々に対して、通知した前記無線リソースの位置で、前記同一のセル固有識別子を用いた物理下りリンク制御チャネルを介して制御信号を送信するように構成されていることを要旨とする。
【００１６】
本発明の第２の特徴は、複数のスモールセルを連結して形成されたファントムセルを管理するように構成されている無線基地局と通信可能な移動局であって、前記無線基地局から、無線リソースの位置を示す情報及び前記移動局に対して割り当てられたセル固有識別子を受信するように構成されている受信部を具備しており、前記受信部は、前記無線基地局から、前記無線リソースの位置で、前記セル固有識別子を用いた物理下りリンク制御チャネルを介して制御信号を受信するように構成されていることを要旨とする。
【発明の効果】
【００１７】
以上説明したように、本発明によれば、ファントムセル内で複数の移動局に対して同一のＣ-ＲＮＴＩを割り当てた場合であっても、同一のＣ-ＲＮＴＩが割り当てられた移動局同士の衝突を回避することができる無線基地局及び移動局を提供することができる。
【図面の簡単な説明】
【００１８】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局及び移動局の動作を説明するための図である。
【図４】本発明の第１の実施形態に係る移動局の機能ブロック図である。
【図５】従来技術を説明するための図である。
【図６】従来技術を説明するための図である。
【図７】従来技術を説明するための図である。
【図８】従来技術を説明するための図である。
【発明を実施するための形態】
【００１９】
（本発明の第１の実施形態に係る移動通信システム）
図１乃至図４を参照して、本発明の第１の実施形態に係る移動通信システムについて説明する。
【００２０】
図１に示すように、本実施形態に係る移動通信システムは、ＬＴＥ方式の移動通信システムであって、セル＃１０を管理する無線基地局ＰｈＮＢ＃１０と、セル＃１を管理する無線基地局ｅＮＢ＃１と、セル＃２を管理する無線基地局ｅＮＢ＃２と、セル＃３を管理する無線基地局ｅＮＢ＃３とを具備している。
【００２１】
ここで、セル＃１０は、複数のスモールセルを連結して形成されたファントムセルであり、セル＃１〜＃３は、マクロセルである。
【００２２】
図１に示すように、セル＃１０のカバレッジエリア及びセル＃１〜＃３のカバレッジエリアは、少なくとも一部で重なるように配置されている。
【００２３】
図２に示すように、本実施形態に係る無線基地局ＰｈＮＢ＃１０は、割当部１１と、受信部１２と、送信部１３とを具備している。
【００２４】
割当部１１は、セル＃１０内の移動局ＵＥ＃Ａ〜ＵＥ＃Ｅに対して、同一のＣ-ＲＮＴＩｐｈを割り当てるように構成されている。
【００２５】
なお、割当部１１は、セル＃１０内の所定数の移動局ＵＥ＃Ａ〜ＵＥ＃Ｅに対して、同一のＣ-ＲＮＴＩｐｈを割り当てるように構成されていてもよい。
【００２６】
受信部１２は、セル＃１０内の移動局ＵＥ＃Ａ〜ＵＥ＃Ｅから各種信号を受信するように構成されており、送信部１３は、セル＃１０内の移動局ＵＥ＃Ａ〜ＵＥ＃Ｅに対して各種信号を送信するように構成されている。
【００２７】
ここで、送信部１３は、セル＃１０内の移動局ＵＥ＃Ａ〜ＵＥ＃Ｅに対して、予め、ＰＤＣＣＨ（Ｐｈｙｓｉｃａｌ  Ｄｏｗｎｌｉｎｋ  Ｃｏｎｔｒｏｌ  Ｃｈａｎｎｅｌ）用リソースとして割り当てる無線リソースの位置を通知するように構成されている。
【００２８】
ここで、送信部１３は、セル＃１０内の移動局ＵＥ＃Ａ〜ＵＥ＃Ｅに対して、予め、ＰＤＳＣＨ（Ｐｈｙｓｉｃａｌ  Ｄｏｗｎｌｉｎｋ  Ｓｈａｒｅｄ  Ｃｈａｎｎｅｌ）用リソースやＰＵＳＣＨ（Ｐｈｙｓｉｃａｌ  Ｕｐｌｉｎｋ  Ｓｈａｒｅｄ  Ｃｈａｎｎｅｌ）用リソースやＰＵＳＣＨ（Ｐｈｙｓｉｃａｌ  Ｕｐｌｉｎｋ  Ｃｏｎｔｒｏｌ  Ｃｈａｎｎｅｌ）用リソースやｅＰＤＣＣＨ用のリソース等として割り当てる無線リソースの位置を通知するように構成されていてもよい。
【００２９】
具体的には、送信部１３は、同一のＣ-ＲＮＴＩｐｈが割り当てられている複数の移動局ＵＥ＃Ａ〜ＵＥ＃Ｅの各々に対して、異なる無線リソースの位置を通知するように構成されている。
【００３０】
例えば、図３に示すように、送信部１３は、同一のＣ-ＲＮＴＩｐｈが割り当てられている複数の移動局ＵＥ＃Ａ〜ＵＥ＃Ｅの各々に対して、異なる周波数リソースの位置を通知するように構成されている。
【００３１】
なお、実際には、無線リソースの位置は、インターリーブされてしまうため、図３に示すようにはならない。図３は、インターリーブ前のＣＣＥ（Ｃｏｎｔｒｏｌ  Ｃｈａｎｎｅｌ  Ｅｌｅｍｅｎｔ）をグルーピングしたものを示している。
【００３２】
その後、送信部１３は、複数の移動局ＵＥ＃Ａ〜ＵＥ＃Ｅの各々に対して、通知した無線リソースの位置で、同一のＣ-ＲＮＴＩｐｈ（＝Ａ）を用いたＰＤＣＣＨを介して制御信号（例えば、スケジューリング情報）を送信するように構成されている。
【００３３】
受信部１２は、同一のＣ-ＲＮＴＩｐｈが割り当てられている複数の移動局ＵＥ＃Ａ〜ＵＥ＃Ｅの各々から、ＰＵＳＣＨやＰＵＣＣＨを介して送信された信号を受信するように構成されている。
【００３４】
なお、受信部１２は、同一のＣ-ＲＮＴＩｐｈが割り当てられている複数の移動局ＵＥ＃Ａ〜ＵＥ＃Ｅの各々から、異なる無線リソースの位置で、ＰＵＳＣＨやＰＵＣＣＨを介して送信された信号を受信するように構成されていてもよい。
【００３５】
図４に示すように、本実施形態に係る移動局ＵＥは、受信部２１と、管理部２２と、送信部２３とを具備している。
【００３６】
受信部２１は、無線基地局ＰｈＮＢ＃１０/ｅＮＢ＃１/ｅＮＢ＃２/ｅＮＢ＃３から各種信号を受信するように構成されている。
【００３７】
例えば、受信部２１は、無線基地局ＰｈＮＢ＃１０から、個別信号を介して、無線リソースの位置を示す情報及び移動局ＵＥに対して割り当てられたＣ-ＲＮＴＩｐｈを受信するように構成されている。
【００３８】
なお、受信部２１は、かかる無線リソースの位置を示す情報として、周波数方向の位置を示す情報を受信するように構成されていてもよい。
【００３９】
また、受信部２１は、無線基地局ＰｈＮＢ＃１０から、上述の無線リソースの位置で、かかるＣ-ＲＮＴＩｐｈを用いたＰＤＣＣＨを介して制御信号（例えば、スケジューリング情報）を受信するように構成されていてもよい。
【００４０】
或いは、受信部２１は、無線基地局ＰｈＮＢ＃１０から、上述の無線リソースの位置で、かかるＣ-ＲＮＴＩｐｈを用いたＰＤＳＣＨを介してデータ信号を受信するように構成されていてもよい。
【００４１】
管理部２２は、受信部２１によって受信された無線リソースの位置を示す情報やＣ-ＲＮＴＩｐｈを管理するように構成されている。
【００４２】
送信部２３は、無線基地局ＰｈＮＢ＃１０/ｅＮＢ＃１/ｅＮＢ＃２/ｅＮＢ＃３に対して各種信号を送信するように構成されている。
【００４３】
例えば、送信部２３は、受信部２１によって受信されたスケジューリング情報に基づいて、無線基地局ＰｈＮＢ＃１０に対して、ＰＵＳＣＨを介してデータ信号を送信するように構成されている。
【００４４】
ここで、送信部２３は、上述のスケジュール情報によって指定された無線リソースの位置で、無線基地局ＰｈＮＢ＃１０に対して、ＰＵＳＣＨを介してデータ信号を送信するように構成されていてもよいし、上述の無線リソースの位置で、無線基地局ＰｈＮＢ＃１０に対して、ＰＵＳＣＨを介してデータ信号を送信するように構成されていてもよい。
【００４５】
なお、送信部２３は、上述の無線リソースの位置で、無線基地局ＰｈＮＢ＃１０に対して、ＰＵＣＣＨを介して信号を送信するように構成されていてもよいし、ＳＲＳ（Ｓｏｕｄｉｎｇ  Ｒｅｆｅｒｅｎｃｅ  Ｓｉｇｎａｌ）等を送信するように構成されていてもよい。
【００４６】
以上に述べた本実施形態の特徴は、以下のように表現されていてもよい。
【００４７】
本実施形態の第１の特徴は、複数のスモールセルを連結して形成されたセル＃１０（ファントムセル）を管理するように構成されている無線基地局ＰｈＮＢ＃１０であって、セル＃１０内で、複数の移動局ＵＥ＃Ａ〜ＵＥ＃Ｅに対して、同一のＣ-ＲＮＴＩｐｈ（セル固有識別子）を割り当てるように構成されている割当部１１と、複数の移動局ＵＥ＃Ａ〜ＵＥ＃Ｅの各々に対して、異なる無線リソースの位置を通知するように構成されている送信部１３とを具備しており、送信部１３は、複数の移動局ＵＥ＃Ａ〜ＵＥ＃Ｅの各々に対して、通知した無線リソースの位置で、同一のＣ-ＲＮＴＩｐｈを用いたＰＤＣＣＨ（物理下りリンク制御チャネル）を介して制御信号（例えば、スケジューリング情報）を送信するように構成されていることを要旨とする。
【００４８】
かかる構成によれば、ファントムセル内で複数の移動局ＵＥ＃Ａ〜ＵＥ＃Ｅに対して同一のＣ-ＲＮＴＩｐｈを割り当てた場合であっても、複数の移動局ＵＥ＃Ａ〜ＵＥ＃Ｅの各々によって用いられる無線リソースの位置を変えることによって、移動局ＵＥ＃Ａ〜ＵＥ＃Ｅ同士の衝突を回避することができる。
【００４９】
本実施形態の第１の特徴において、送信部１３は、上述の無線リソースの位置として、周波数方向の位置を通知するように構成されていてもよい。
【００５０】
かかる構成によれば、複数の移動局ＵＥ＃Ａ〜ＵＥ＃Ｅの各々によって用いられる周波数リソースの位置を変えることによって、容易に、移動局ＵＥ＃Ａ〜ＵＥ＃Ｅ同士の衝突を回避することができる。
【００５１】
本実施形態の第１の特徴において、送信部１３は、上述の無線リソースの位置として、時間方向の位置を通知するように構成されていてもよい。
【００５２】
かかる構成によれば、複数の移動局ＵＥ＃Ａ〜ＵＥ＃Ｅの各々によって用いられる時間リソースの位置を変えることによって、容易に、移動局ＵＥ＃Ａ〜ＵＥ＃Ｅ同士の衝突を回避することができる。
【００５３】
本実施形態の第２の特徴は、複数のスモールセルを連結して形成されたセル＃１０を管理するように構成されている無線基地局ＰｈＮＢ＃１０と通信可能な移動局ＵＥであって、無線基地局ＰｈＮＢ＃１０から、無線リソースの位置を示す情報及び移動局ＵＥに対して割り当てられたＣ-ＲＮＴＩｐｈを受信するように構成されている受信部２１を具備しており、受信部２１は、無線基地局ＰｈＮＢ＃１０から、上述の無線リソースの位置で、かかるＣ-ＲＮＴＩｐｈを用いたＰＤＣＣＨを介して制御信号を受信するように構成されていることを要旨とする。
【００５４】
かかる構成によれば、無線基地局ＰｈＮＢ＃１０によって通知された無線リソースを用いることで、他の移動局ＵＥとの衝突を回避することができる。
【００５５】
本実施形態の第２の特徴において、受信部２１は、かかる無線リソースの位置を示す情報として、周波数方向の位置を示す情報を受信するように構成されていてもよい。
【００５６】
かかる構成によれば、無線基地局ＰｈＮＢ＃１０によって通知された周波数リソースを用いることで、容易に、他の移動局ＵＥとの衝突を回避することができる。
【００５７】
本実施形態の第２の特徴において、受信部２１は、かかる無線リソースの位置を示す情報として、時間方向の位置を示す情報を受信するように構成されていてもよい。
【００５８】
かかる構成によれば、無線基地局ＰｈＮＢ＃１０によって通知された時間リソースを用いることで、容易に、他の移動局ＵＥとの衝突を回避することができる。
【００５９】
この場合、時間リソースは、割り当ての最小単位（ＴＴＩ）で表現されてもよいし、ＯＦＤＭシンボル単位で表現されてもよいし、無線フレーム単位で表現されてもよい。
【００６０】
また、上述した無線リソースの位置は、ＲＲＣレイヤやＰＤＣＰレイヤやＲＬＣレイヤやＭＡＣレイヤや物理レイヤのように任意のレイヤで通知されてもよい。
【００６１】
また、かかる無線リソースの位置を示す情報は、対象の移動局ＵＥに対してＣ-ＲＮＴＩｐｈを割り当てるメッセージ内で通知されてもよいし、異なるメッセージ内で通知されてもよい。
【００６２】
また、かかる無線リソースの位置を示す情報は、マクロセルを介して割り当てられてもよいし、他のファントムセルを介して割り当てられてもよい。
【００６３】
さらに、リソースの物理的な分割以外にも、例えば、拡散符号を用いる通信方式の場合には、拡散符号が通知されてもよい。
【００６４】
なお、上述の移動局ＵＥ＃Ａ〜ＵＥ＃Ｅや無線基地局ｅＮＢ＃１/ｅＮＢ＃２/ｅＮＢ＃３/ＰｈＮＢ＃１０の動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ＃Ａ〜ＵＥ＃Ｅや無線基地局ｅＮＢ＃１/ｅＮＢ＃２/ｅＮＢ＃３/ＰｈＮＢ＃１０内に設けられていてもよい。また、かかる記憶媒体及びプロセッサは、ディスクリートコンポーネントとして移動局ＵＥ＃Ａ〜ＵＥ＃Ｅや無線基地局ｅＮＢ＃１/ｅＮＢ＃２/ｅＮＢ＃３/ＰｈＮＢ＃１０内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ｅＮＢ＃１、ｅＮＢ＃２、ｅＮＢ＃３、ＰｈＮＢ＃１０…無線基地局
１１…割当部
１２、２１…受信部
１３、２３…送信部
２２…管理部
【図１】
2014049793.tif 000003
【図２】
2014049793.tif 000004
【図３】
2014049793.tif 000005
【図４】
2014049793.tif 000006
【図５】
2014049793.tif 000007
【図６】
2014049793.tif 000008
【図７】
2014049793.tif 000009
【図８】
2014049793.tif 000010